(57)【要約】【課題】電話回線を用いて複数の携帯電話機の同時レリーズを実現することが可能な携帯電話機を提供すること。【解決手段】同時レリーズ実行時において、マスタ側の携帯電話機１００ａは、撮影時刻情報を決定し、この決定した撮影時刻情報に基づいて撮影実行指示情報を生成してスレーブ側の携帯電話機１００ｂに送信し（ステップＳ２１）、撮影時刻情報に基づいた撮影時刻になった場合に（ステップＳ２２）、レリーズを実行する（ステップＳ２３）。このとき、撮影実行指示情報に従ってスレーブ側の携帯電話機１００ｂもレリーズが実行される。【選択図】      図６
2005130030.tif 000002
【特許請求の範囲】
【請求項１】
撮影機能を有する複数の他の携帯電話機と通信自在な携帯電話機において、
上記複数の他の携帯電話機の撮影時刻を同時とするための撮影時刻情報を少なくとも含む撮影実行指示情報を生成して上記複数の他の携帯電話機に送信するように制御する制御手段を具備することを特徴とする携帯電話機。
【請求項２】
撮影機能を有する少なくとも１つの他の携帯電話機と通信自在な携帯電話機において、
当該携帯電話機と上記少なくとも１つの他の携帯電話機との撮影時刻とを同時とするための撮影時刻情報を少なくとも含む撮影実行指示情報を上記少なくとも１つの他の携帯電話機に送信する又は上記少なくとも１つの他の携帯電話機から上記撮影実行指示情報を受信する通信手段と、
この通信手段による上記少なくとも１つの他の携帯電話機との通信後に、上記撮影時刻情報に従って撮影を実行するように制御する撮影制御手段と、
具備することを特徴とする携帯電話機。
【請求項３】
上記通信手段は、上記撮影実行指示情報を送信するに先立って上記少なくとも１つの他の携帯電話機に疑似トリガー信号を送信し、この疑似トリガー信号を送信してから上記少なくとも１つの他の携帯電話機から返答信号を受信するまでの時間から遅延時間を決定し、この遅延時間に基づいて上記撮影実行指示情報に含まれる撮影時刻情報を決定することを特徴とする請求項２に記載の携帯電話機。
【請求項４】
上記通信手段は、上記撮影実行指示情報を送信するに先立って上記少なくとも１つの他の携帯電話機に疑似トリガー信号を送信し、この疑似トリガー信号の送信時刻と上記疑似トリガー信号が上記少なくとも１つの他の携帯電話機において受信されたときの受信時刻とから遅延時間を決定し、この遅延時間に基づいて上記撮影実行指示情報に含まれる撮影時刻情報を決定することを特徴とする請求項２に記載の携帯電話機。
【請求項５】
上記通信手段は、上記遅延時間を定期的に検出することを特徴とする請求項３又は４に記載の携帯電話機。
【請求項６】
上記遅延時間が所定時間よりも長い場合又は上記撮影時刻に撮影が行われなかった場合に警告を行う警告手段を更に具備することを特徴とする請求項３又は４に記載の携帯電話機。
【請求項７】
上記遅延時間が所定時間よりも長い場合にこの遅延時間を表示する表示手段を更に具備することを特徴とする請求項３又は４に記載の携帯電話機。
【請求項８】
上記遅延時間が所定時間よりも長い場合又は上記撮影時刻に撮影が行われなかった場合に撮影を禁止する禁止手段を更に具備することを特徴とする請求項３又は４に記載の携帯電話機。
【請求項９】
撮影モードの１つとしてステレオ撮影を行うためのステレオ撮影モードを有し、
当該携帯電話機がステレオ撮影モードであって上記少なくとも１つの他の携帯電話との通信が確立した場合に、上記通信手段によって上記撮影実行指示情報を送信すると共に、上記撮影制御手段によって撮影を実行するように制御することを特徴とする請求項２に記載の携帯電話機。
【請求項１０】
撮影モードの１つとしてステレオ撮影を行うためのステレオ撮影モードを有し、
当該携帯電話機がステレオ撮影モードであって撮影実行の指示を行うための操作部材を介して撮影実行の指示がなされた場合には、上記通信手段によって上記撮影実行指示情報を上記少なくとも１つの他の携帯電話に送信すると共に、上記撮影制御手段によって同時撮影を実行するように制御することを特徴とする請求項２に記載の携帯電話機。
【発明の詳細な説明】
【技術分野】
【０００１】
本発明は、携帯電話機に関し、特に撮影機能を有する複数の携帯電話機の撮影制御に関する。
【背景技術】
【０００２】
同一の被写体を左右両眼の視点に対応する視差を持った２画像を撮影する、所謂ステレオ撮影という撮影手法が従来から知られている。このようなステレオ撮影を行う場合には、例えば特許文献１で提案されているように、２台の撮影を所定の距離だけ離した状態で撮影を行う。
【０００３】
また、近年では、撮影機能を有する携帯電話機が普及している。このような撮影機能付き携帯電話機を２台用いてステレオ撮影を行うようにすれば、手軽にステレオ撮影を行うことができる。
【特許文献１】特開平７−２２０１１３号公報
【発明の開示】
【発明が解決しようとする課題】
【０００４】
しかしながら、ステレオ撮影を行う場合には、これら２台の携帯電話機のレリーズタイミングが同時であることが重要となる。このようなタイミング管理を行う場合には、２台の携帯電話機を専用のケーブル等で接続することにより行う方法もあるが、このようなケーブル接続用の機構を携帯電話機に設けることは、携帯電話機の小型化等の観点からは余り好ましいものではない。これは、赤外線通信やＢｌｕｅＴｏｏｔｈのような無線による通信の場合も同様である。
【０００５】
これに対し、携帯電話機の本来の機能である電話機能を用いて無線通信を行い、同時レリーズを行うようにすればケーブル接続用の機構等が不要となる。しかしながら、携帯電話機においては、すぐそばにある携帯電話機に対しても一旦基地局を介さなければ通信を行うことができず、また、この基地局との通信においては、様々な要因により、遅延時間が生じてしまう。このため、一方の携帯電話機から単に撮影実行指示の信号を送っただけでは、２台の携帯電話機の同時レリーズを実現することができない。
【０００６】
本発明は、上記の事情に鑑みてなされたもので、電話回線を用いて複数の携帯電話機の同時レリーズを実現することが可能な携帯電話機を提供することを目的とする。
【課題を解決するための手段】
【０００７】
上記の目的を達成するために、本発明の第１の態様による携帯電話機は、撮影機能を有する複数の他の携帯電話機と通信自在な携帯電話機において、上記複数の他の携帯電話機の撮影時刻を同時とするための撮影時刻情報を少なくとも含む撮影実行指示情報を生成して上記複数の他の携帯電話機に送信するように制御する制御手段を具備する。
【０００８】
この第１の態様によれば、撮影機能を有する複数の他の携帯電話機の撮影時刻を同時とすることができる。
【０００９】
また、上記の目的を達成するために、本発明の第２の態様による携帯電話機は、撮影機能を有する少なくとも１つの他の携帯電話機と通信自在な携帯電話機において、当該携帯電話機と上記少なくとも１つの他の携帯電話機との撮影時刻とを同時とするための撮影時刻情報を少なくとも含む撮影実行指示情報を上記少なくとも１つの他の携帯電話機に送信する又は上記少なくとも１つの他の携帯電話機から上記撮影実行指示情報を受信する通信手段と、この通信手段による上記少なくとも１つの他の携帯電話機との通信後に、上記撮影時刻情報に従って撮影を実行するように制御する撮影制御手段と具備する。
【００１０】
この第２の態様によれば、撮影機能を少なくとも１つの他の携帯電話機と自身の撮影時刻とを同時とすることができる。
【００１１】
また、上記の目的を達成するために、本発明の第３の態様による携帯電話機は、第２の態様において、上記通信手段は、上記撮影実行指示情報を送信するに先立って上記少なくとも１つの他の携帯電話機に疑似トリガー信号を送信し、この疑似トリガー信号を送信してから上記少なくとも１つの他の携帯電話機から返答信号を受信するまでの時間から遅延時間を決定し、この遅延時間に基づいて上記撮影実行指示情報に含まれる撮影時刻情報を決定する。
【００１２】
この第３の態様によれば、撮影時刻情報を、疑似トリガー信号を送信してから返答信号を受信するまでの時間から決定することができる。
【００１３】
また、上記の目的を達成するために、本発明の第４の態様による携帯電話機は、第２の態様において、上記通信手段は、上記撮影実行指示情報を送信するに先立って上記少なくとも１つの他の携帯電話機に疑似トリガー信号を送信し、この疑似トリガー信号の送信時刻と上記疑似トリガー信号が上記少なくとも１つの他の携帯電話機において受信されたときの受信時刻とから遅延時間を決定し、この遅延時間に基づいて上記撮影実行指示情報に含まれる撮影時刻情報を決定する。
【００１４】
この第４の態様によれば、撮影時刻情報を、疑似トリガー信号の送信時刻と受信時刻とから決定することができる。
【００１５】
また、上記の目的を達成するために、本発明の第５の態様による携帯電話機は、第３又は第４の態様において、上記通信手段は、上記遅延時間を定期的に検出する。
【００１６】
この第５の態様によれば、遅延時間の検出が定期的に検出される。
【００１７】
また、上記の目的を達成するために、本発明の第６の態様による携帯電話機は、第３又は第４の態様において、上記遅延時間が所定時間よりも長い場合又は上記撮影時刻に撮影が行われなかった場合に警告を行う警告手段を更に具備する。
【００１８】
この第６の態様によれば、遅延時間が長い場合には警告が行われる。
【００１９】
また、上記の目的を達成するために、本発明の第７の態様による携帯電話機は、第３又は第４の態様において、上記遅延時間が所定時間よりも長い場合にこの遅延時間を表示する表示手段を更に具備する
この第７の態様によれば、遅延時間が長い場合にはその遅延時間が表示される。
【００２０】
また、上記の目的を達成するために、本発明の第８の態様による携帯電話機は、第３又は第４の態様において、上記遅延時間が所定時間よりも長い場合又は上記撮影時刻に撮影が行われなかった場合に撮影を禁止する禁止手段を更に具備する。
【００２１】
この第８の態様によれば、遅延時間が長い場合には撮影が禁止される。
【００２２】
また、上記の目的を達成するために、本発明の第９の態様による携帯電話機は、第２の態様において、撮影モードの１つとしてステレオ撮影を行うためのステレオ撮影モードを有し、当該携帯電話機がステレオ撮影モードであって上記少なくとも１つの他の携帯電話との通信が確立した場合に、上記通信手段によって上記撮影実行指示情報を送信すると共に、上記撮影制御手段によって撮影を実行するように制御する。
【００２３】
この第９の態様によれば、撮影モードがステレオ撮影モードである携帯電話機から通信を行うことで同時レリーズが実行される。
【００２４】
また、上記の目的を達成するために、本発明の第１０の態様による携帯電話機は、第２の態様において、撮影モードの１つとしてステレオ撮影を行うためのステレオ撮影モードを有し、当該携帯電話機がステレオ撮影モードであって撮影実行の指示を行うための操作部材を介して撮影実行の指示がなされた場合には、上記通信手段によって上記撮影実行指示情報を上記少なくとも１つの他の携帯電話に送信すると共に、上記撮影制御手段によって同時撮影を実行するように制御する。
【００２５】
この第１０の態様によれば、撮影モードがステレオ撮影モードである携帯電話機で撮影実行指示がなされた場合に同時レリーズが実行される。
【発明の効果】
【００２６】
本発明によれば、電話回線を用いて複数の携帯電話機の同時レリーズを実現することが可能な携帯電話機を提供することができる。
【発明を実施するための最良の形態】
【００２７】
本発明は、撮影機能を有する複数の携帯電話機の同時レリーズを電話回線を利用して実現するために、送信先の携帯電話機の撮影時刻を指定するための撮影時刻情報を記録した撮影実行指示情報を送信する。ここで、この撮影時刻情報は、回線の混雑状況等を考慮して決定するものである。そして、この撮影時刻情報に従って複数の携帯電話機は、レリーズを行う。このような時間の管理には、例えば携帯電話機のＧＰＳ（Global Positioning System）機能を利用する。
【００２８】
以下、本発明の実施例を図面を参照して説明する。  
［実施例１］
図１（ａ）及び図１（ｂ）は、本発明の実施例１に係る携帯電話機を含むシステムの構成を示す概念図である。ここで、図１（ａ）の例は、撮影機能を有していない携帯電話機１００ａから２台の撮影機能を有している携帯電話機１００ｂ及び１００ｃに撮影実行指示情報を送信して、これら携帯電話機１００ｂ及び１００ｃの同時レリーズを行う例である。また、図１（ｂ）の例は、撮影機能を有している１台の携帯電話機１００ａから撮影機能を有している１台の携帯電話機１００ｂに撮影実行指示情報を送信して、これら携帯電話機１００ａ及び１００ｂの同時レリーズを行う例である。なお、ここでは、ステレオ撮影を想定して２台の撮影機能を有する携帯電話機による同時レリーズについて説明するが、携帯電話機の台数は２台に限るものではない。また、撮影実行指示情報は上記説明から明らかなように撮影トリガー信号としての役割を果たすものである。
【００２９】
ここで、図１（ａ）及び図１（ｂ）のシステムにおいて、撮影実行指示情報を送信する側の携帯電話機１００ａを便宜上「マスタ側」の携帯電話機と呼び、送信先の携帯電話機１００ｂ、１００ｃを「スレーブ側」の携帯電話機と呼ぶことにする。
【００３０】
次に図２を参照して、これらの携帯電話機の内部構成について説明する。ここで、マスタ側の携帯電話機とスレーブ側の携帯電話機では構成上の差異はないものとする。また、図１（ａ）のマスタ側の携帯電話機１００ａは撮影機能を有していないだけで、基本的な構成は図２の構成に準じている。
【００３１】
即ち、携帯電話機１００は、マイク１０１と、アナログ/デジタル（ＡＤ）変換部１０２と、デジタル信号処理部１０３と、制御部（ＣＰＵ）１０４と、操作スイッチ部１０５と、変調部１０６と、送信部１０７と、アンテナ部１０８と、受信部１０９と、復調部１１０と、デジタル/アナログ（ＤＡ）変換部１１１と、スピーカ１１２と、撮影部１１３と、記録部１１４と、表示部１１５と、から構成されている。
【００３２】
ここで、これらの構成は、周知のものが利用可能であるので、その詳細な説明は省略し、以下に簡単に説明する。
【００３３】
マイク１０１は、ユーザからの音声を入力するための音声入力部である。即ち、通話時においてユーザの音声は、マイク１０１によって電気信号（音声信号）に変換される。この音声信号は、ＡＤ変換部１０２に入力されてデジタル信号に変換された後、デジタル信号処理部１０３に入力されて、その後の通信に適する形式に圧縮（符号化）される。そして、この圧縮された信号は、変調部１０６において変調される。その後、この変調信号は、送信部１０７において信号増幅やノイズ除去等の処理が行われる。そして、音声が無線周波信号として、アンテナ部１０８から基地局３００を経由して所定の送信先に送信される。
【００３４】
一方、他の携帯電話機から音声が無線周波信号として送信された場合には、アンテナ部１０８を介して受信部１０９で受信される。この受信部１０９では、受信された信号の増幅やノイズ除去等の処理が行われる。その後、この信号は、復調部１１０において復調される。そして、この復調信号は、デジタル信号処理部１０３において伸長（復号）された後、ＤＡ変換部１１１においてアナログの音声信号に変換され、音声がスピーカ１１２を介して出力される。
【００３５】
また、この携帯電話機１００は、撮影機能を有している。撮影部１１３は、撮影用のレンズや撮像素子等から構成されている。レリーズ動作時において、撮影部１１３では、撮影レンズを介して入射した図示しない被写体の像が撮像素子において電気信号に変換される。その後、この電気信号はデジタル信号に変換されてデジタル信号処理部１０３に出力される。デジタル信号処理部１０３では、色信号生成処理、ホワイトバランス調整処理、マトリクス変換処理等の画像処理がなされた後、記録に適する形式で信号の圧縮が行われる。そして、この圧縮信号が記録部１１４に記録される。また、デジタル信号処理部１０３で処理された画像をＬＣＤ（Liquid Crystal Display）等で構成された表示部１１５に表示させたり、通信により他の携帯電話機に送信したりすることも可能である。
【００３６】
なお、アンテナ部１０８を介して通信されるデータは音声や画像に関するデータに限るものではない。特に本実施例１においては、後で詳細に述べる同時撮影実行時に、他の携帯電話機との間で撮影実行指示情報、疑似トリガー信号、及び返答信号といった信号が通信される。
【００３７】
以上のような制御は、制御部（ＣＰＵ）１０４によって統括的に制御される。このＣＰＵ１０４は携帯電話機外部に設けられた図示しない操作ボタンに連動して操作される操作スイッチ部１０５の操作状態等に基づいて所定のプログラムに従った制御を実行する。このプログラムには、従来の携帯電話機で標準的に使用されているものの他に、同時撮影時においてマスタ側の携帯電話機における制御を行うためのプログラムとスレーブ側の携帯電話機における制御を行うためのプログラムとがある。
【００３８】
また、操作スイッチ部１０５には、電話をかける際の数字ボタンに連動して動作するスイッチ、撮影実行を指示するためのレリーズボタンに連動して動作するスイッチ、撮影時の撮影モードをステレオ撮影用のステレオ撮影モードに切り替えるためのモード切替ボタンに連動して動作するスイッチ等が含まれる。
【００３９】
次に、このような構成を有する携帯電話機を用いた同時撮影の例として、ステレオ撮影を行う場合について説明する。ここで説明する例は、図１（ｂ）に示すマスタ側の携帯電話機とスレーブ側の携帯電話機とで同時に撮影を行う例である。
【００４０】
ステレオ撮影時においては、２台のカメラを携帯電話機を人間の両眼の間隔程度だけ離して配置した状態で撮影を行う。この状態において、少なくとも何れか一方の携帯電話機の撮影モードをステレオ撮影モードに設定してステレオ撮影を開始する。本実施例１では、何れか一方の携帯電話機のレリーズボタンを押し下げ操作することによってステレオ撮影が開始される。または、ステレオモードに設定された一方の携帯電話機から他方の携帯電話機の呼出しを行い、回線接続が確立した時点でステレオ撮影が開始されるようにしてもよい。
【００４１】
ここで、レリーズボタンを押し下げ操作した側の携帯電話機又は電話呼出しを行った側の携帯電話機が上記したマスタ側の携帯電話機１００ａとなる。マスタ側の携帯電話機１００ａのＣＰＵは、まず図３のフローチャートに示す制御を開始する。
【００４２】
即ち、この図３では、２台の携帯電話機の撮影時刻（レリーズタイミング）を決定するために、遅延時間ΔＴを決定する処理を行う。このΔＴは、マスタ側の携帯電話機１００ａからスレーブ側の携帯電話機１００ｂに確実に撮影実行指示情報を送信することが可能な時間である。
【００４３】
この遅延時間ΔＴを決定するために、マスタ側の携帯電話機１００ａは、疑似トリガー信号をスレーブ側の携帯電話機１００ｂに送信する（ステップＳ１）。ここで、この疑似トリガー信号は、送信先情報、送信元情報、及びこの信号がステレオ撮影用の疑似トリガー信号であることを示す情報が少なくとも記録された小データ容量の信号である。
【００４４】
このような疑似トリガー信号を送信した後、マスタ側の携帯電話機１００ａは、スレーブ側の携帯電話機１００ｂから返答信号を受信したか否かを判定し（ステップＳ２）、返答信号を受信するまで待機する。
【００４５】
ステップＳ２の判定において返答信号を受信したと判定した場合に、マスタ側の携帯電話機１００ａは、遅延時間ΔＴを算出する（ステップＳ３）。この遅延時間ΔＴは、図４のタイミングチャートで示す疑似トリガー信号を送信してから返答信号を受けるまでの時間τの１/２（即ち、疑似トリガー信号がスレーブ側の携帯電話機１００ｂにおいて受信されるまでの時間に相当する）に多少の余裕分αを加えた時間とする。なお、τが短い場合には、遅延時間Δｔ＝τとしてもよい。
【００４６】
即ち、遅延時間Δｔはこれから行う実際の撮影時に生じる「撮影実行指示情報即ちトリガー信号の送信から撮影実行のタイミングまでの遅れ」を示す、所謂レリーズタイムラグを想定したものである。勿論、通信中に回線の状況が変化することも考えられるので、この遅延時間ΔＴの算出は定期的に行って、遅延時間ΔＴが大きく変化した場合には、撮影時刻情報を更新するようにすることがより好ましいことは言うまでもない。
【００４７】
ステップＳ３で遅延時間ΔＴを算出した後、マスタ側の携帯電話機１００ａは、この遅延時間ΔＴが所定時間（例えば０．５秒）よりも長いか否かを判定する（ステップＳ４）。このステップＳ４の判定の結果、遅延時間ΔＴが所定時間よりも短いと判定した場合には特に不具合を生じないから、そのままこのフローチャートの制御を終了する。
【００４８】
一方、ステップＳ４の判定の結果、遅延時間ΔＴが所定時間よりも長いと判定した場合は、撮影者がシャッターチャンスを逃してしまい意図した撮影が行われない可能性が大きいことについて撮影者の注意を喚起するため、マスタ側の携帯電話機１００ａは、表示部１１５に警告表示を行った後（ステップＳ５）、このフローチャートの制御を終了する。ここで、警告は表示に限らず、音声警告等でもよいことは言うまでもない。また、このような警告を行うかわりに、遅延時間ΔＴを表示するようにしてもよいし、以後の撮影自体を禁止してしまうようにしてもよい。
【００４９】
次に、スレーブ側の携帯電話機１００ｂのＣＰＵにおいて行われる制御について図５を参照して説明する。即ち、このフローチャートにおいてスレーブ側の携帯電話機１００ｂは、マスタ側の携帯電話機１００ａから疑似トリガー信号を受信したか否かを判定し（ステップＳ１１）、疑似トリガー信号を受信するまで待機する。一方、ステップＳ１１の判定において、疑似トリガー信号を受信したと判定した場合に、スレーブ側の携帯電話機１００ｂは、返答信号をマスタ側の携帯電話機１００ａに送信する（ステップＳ１２）。
【００５０】
このような制御によって遅延時間が決定された後、２台の携帯電話機の同時レリーズが実行される。次に、この同時レリーズ時においてマスタ側の携帯電話機１００ａで行われる制御について図６を参照して説明する。
【００５１】
図６において、マスタ側の携帯電話機１００ａは、２台の携帯電話機の撮影時刻を同時とするための撮影時刻情報を決定して、この撮影時刻情報に基づいて撮影実行指示情報を生成し、この撮影実行指示情報をスレーブ側の携帯電話機１００ｂに送信する（ステップＳ２１）。ここで、撮影時刻情報は、図７に示すＧＰＳによって測定される現在時刻ｔ１に遅延時間ΔＴを加えた時刻ｔ２（＝ｔ１＋ΔＴ）とする。
【００５２】
次に、マスタ側の携帯電話機１００ａは、ステップＳ２１で決定した撮影時刻になったか否かを判定し（ステップＳ２２）、撮影時刻になるまで待機する。一方、ステップＳ２２の判定において、撮影時刻になったと判定した場合に、マスタ側の携帯電話機１００ａは、レリーズ動作を実行する（ステップＳ２３）。この後は、撮影した画像に所定のファイル名を付けて記録部１１４に記録する。
【００５３】
この画像記録時には、記録する画像ファイルが左右何れの視点から撮影された画像であるのかを示すコードや、スレーブ側の携帯電話機１００ｂで取得される画像ファイルとこの画像ファイルとがペアの画像ファイルであることを示すコードも併せて記録しておくことがより好ましい。また、撮影時刻も同時に記録するようにすれば、２台の携帯電話機が同時に撮影を行ったか否かをユーザ側でも判定することができる。
【００５４】
次に、スレーブ側の携帯電話機１００ｂにおける制御について図８を参照して説明する。スレーブ側の携帯電話機１００ｂは、マスタ側の携帯電話機１００ａから撮影実行指示情報を受信したか否かを判定し（ステップＳ３１）、撮影実行指示情報を受信するまで待機する。一方、ステップＳ３１の判定において、撮影実行指示情報を受信したと判定した場合には、この撮影実行指示情報に含まれた撮影時刻情報に基づいて、撮影時刻になったか否かを判定し（ステップＳ３２）、撮影時刻になるまで待機する。一方、ステップＳ３２の判定において、撮影時刻になったと判定した場合に、スレーブ側の携帯電話機１００ｂは、レリーズ動作を実行する（ステップＳ３３）。この後は、マスタ側の携帯電話機１００ａと同様の画像記録を行う。
【００５５】
ここで、画像記録の終了後、スレーブ側でレリーズが実行された時刻を撮影開始時刻情報としてマスタ側の携帯電話機１００ａに送信するようにしてもよい。このような情報をマスタ側の携帯電話機１００ａで受信できるように構成しておけば、マスタ側とスレーブ側とで同時にレリーズが実行されたか否かを判定することができる。これにより、同時に撮影が行われていなかった場合に、マスタ側の携帯電話機１００ａにおいて警告を行うようにしてもよい。
【００５６】
また、図１（ａ）の例のように、スレーブ側の携帯電話機が２台以上存在する場合には、１台の場合と同様の制御を２台の携帯電話機に対して行えばよい。ただし、この場合には、通信の態様としては３者同時通話モードなどを利用する必要がある。即ち、２台のスレーブ側の携帯電話機の両方に対して撮影実行指示情報を送信すれば、マスタ側の携帯電話機に撮影機能が無くともステレオ撮影を行うことが可能である。
【００５７】
また、撮影終了後に、画像データを通信して何れかの携帯電話で左右画像を合成するようにしてもよい。さらには撮影実行指示情報に露出条件等の撮影情報を含めるようにしてもよい。
【００５８】
以上説明したように、本実施例１によれば、回線の状況を考慮して撮影時刻を決定し、これに基づいて撮影実行の指示をスレーブ側の携帯電話機に送信するようにしているので、マスタ側とスレーブ側とで同時にレリーズ動作を行わせることができる。即ち、２台の携帯電話に専用の機構などを設けることなくステレオ撮影を行うことができる。
【００５９】
［実施例２］
次に、本発明の実施例２について説明する。この実施例２は、遅延時間の算出手法が実施例１と異なる。なお、構成及び同時撮影時の制御については実施例１で説明したものと同様であるので説明を省略する。
【００６０】
まず、マスタ側の携帯電話機１００ａにおける制御について図９を参照して説明する。この図９において、マスタ側の携帯電話機１００ａは、疑似トリガー信号をスレーブ側の携帯電話機１００ｂに送信すると共に、このときの送信時刻ｔ３を検出してＣＰＵ内部の図示しないメモリに記録しておく（ステップＳ４１）。次に、マスタ側の携帯電話機１００ａは、スレーブ側の携帯電話機１００ｂから返答信号を受信したか否かを判定し（ステップＳ４２）、返答信号を受信するまで待機する。
【００６１】
一方、スレーブ側の携帯電話機１００ｂはマスタ側からの疑似トリガー信号を受信した時の時刻ｔ４を検出して、返答信号の中にこの時刻ｔ４のデータを含めてマスタ側の携帯電話機１００ａに送信する。そしてマスタ側の携帯電話機１００ａは、ステップＳ４２の判定において返答信号を受信したと判定した場合に、遅延時間ΔＴを算出する（ステップＳ４３）。この遅延時間ΔＴは、図１０のタイミングチャートで示す、疑似トリガー信号の送信時刻ｔ３と返答信号の受信時刻ｔ４との間の時間（ｔ４−ｔ３）に多少の余裕分αを加えた時間とする。この遅延時間ΔＴの算出も定期的に行うほうがよいことは言うまでもないことである。また、上記ｔ４−ｔ３の算出については、マスタ側が疑似トリガー信号に時刻ｔ３のデータを含めてスレーブ側に送信し、スレーブ側が計算を行い、その結果を返答信号に含めて返すようにしても良い。
【００６２】
ステップＳ４３で遅延時間ΔＴを算出した後、マスタ側の携帯電話機１００ａは、この遅延時間ΔＴが所定時間（例えば０．５秒）よりも長いか否かを判定する（ステップＳ４４）。このステップＳ４４の判定の結果、遅延時間ΔＴが所定時間よりも短いと判定した場合には、このフローチャートの制御を終了する。
【００６３】
一方、ステップＳ４の判定の結果、遅延時間ΔＴが所定時間よりも長いと判定した場合に、マスタ側の携帯電話機１００ａは、表示部１１５に警告表示を行った後（ステップＳ４５）、このフローチャートの制御を終了する。実施例１と同様に、警告を行うかわりに、遅延時間ΔＴを表示するようにしてもよいし、以後の撮影自体を禁止してしまうようにしてもよい。
【００６４】
次に、スレーブ側の携帯電話機１００ｂのＣＰＵにおいて行われる制御について図１１を参照して説明する。即ち、このフローチャートにおいてスレーブ側の携帯電話機１００ｂは、マスタ側の携帯電話機１００ａから疑似トリガー信号を受信したか否かを判定し（ステップＳ５１）、疑似トリガー信号を受信するまで待機する。一方、ステップＳ５１の判定において、疑似トリガー信号を受信したと判定した場合に、スレーブ側の携帯電話機１００ｂは、このときの疑似トリガー信号の受信時刻を記録した返答信号をマスタ側の携帯電話機１００ａに送信する（ステップＳ５２）。
【００６５】
以上説明したように、本実施例２によれば、遅延時間を絶対時間の比較により算出することが可能である。
【００６６】
以上実施例に基づいて本発明を説明したが、本発明は上記した実施例に限定されるものではなく、本発明の要旨の範囲内で種々の変形や応用が可能なことは勿論である。
【００６７】
さらに、上記した実施例には種々の段階の発明が含まれており、開示される複数の構成要件の適当な組合せにより種々の発明が抽出され得る。例えば、実施例に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００６８】
【図１】本発明の実施例１に係る携帯電話機を含むシステムの概念的な構成図である。
【図２】本発明の実施例１に係る携帯電話機の内部構成を示すブロック構成図である。
【図３】本発明の実施例１における撮影時刻情報決定時のマスタ側の携帯電話機における制御を示すフローチャートである。
【図４】本発明の実施例１における撮影時刻情報決定時のタイミングチャートである。
【図５】本発明の実施例１における撮影時刻情報決定時のスレーブ側の携帯電話機における制御を示すフローチャートである。
【図６】同時撮影時のマスタ側の携帯電話機における制御を示すフローチャートである。
【図７】同時撮影時のタイミングチャートである。
【図８】同時撮影時のスレーブ側の携帯電話機における制御を示すフローチャートである。
【図９】本発明の実施例２における撮影時刻情報決定時のマスタ側の携帯電話機における制御を示すフローチャートである。
【図１０】本発明の実施例２における撮影時刻情報決定時のタイミングチャートである。
【図１１】本発明の実施例２における撮影時刻情報決定時のスレーブ側の携帯電話機における制御を示すフローチャートである。
【符号の説明】
【００６９】
１００，１００ａ，１００ｂ，１００ｃ…携帯電話機、１０１…マイク、１０２…アナログ/デジタル（ＡＤ）変換部、１０３…デジタル信号処理部、１０４…制御部（ＣＰＵ）、１０５…操作スイッチ部、１０６…変調部、１０７…送信部、１０８…アンテナ部、１０９…受信部、１１０…復調部、１１１…デジタル/アナログ（ＤＡ）変換部、１１２…スピーカ、１１３…撮影部、１１４…記録部、１１５…表示部
【図１】
2005130030.tif 000003
【図２】
2005130030.tif 000004
【図３】
2005130030.tif 000005
【図４】
2005130030.tif 000006
【図５】
2005130030.tif 000007
【図６】
2005130030.tif 000008
【図７】
2005130030.tif 000009
【図８】
2005130030.tif 000010
【図９】
2005130030.tif 000011
【図１０】
2005130030.tif 000012
【図１１】
2005130030.tif 000013